【事件の表示】
　特許第３１６９０１０号「調理器の制御回路」の請求項１に係る特許に対する特許異議の申立てについて、次のとおり決定する。
【結　論】
　訂正を認める。
　特許第３１６９０１０号の請求項１に係る特許を取り消す。
【理　由】
１．手続の経緯　
　特許第３１６９０１０号（以下、「本件特許」という。）の請求項１に係る発明についての出願は、平成１０年４月１日に特許出願された特願平１０−８８４８６号の一部を平成１１年７月１日に新たな出願としたものであって、平成１３年３月１６日に設定登録され、その後、異議申立人シャープ株式会社より異議申立がなされ、取消しの理由が通知され、その指定期間内である平成１４年６月３日に意見書が提出されると共に訂正請求がなされたものである。
　
２．本件特許の出願日の認定
（１）本件特許の出願は、平成１０年４月１日に特許出願された特願平１０−８８４８６号（以下、「原出願」という。）を、平成１１年７月１日に特願平１１−１８７２７８号（以下、「本件出願」という。）として分割出願したものである。
（２）しかしながら、願書に添付された明細書（以下、「特許明細書」という。）の請求項１に記載された「前記電源の少なくとも一方に位置し前記制御部への電源ラインを入り切りするリレー接点」は、原出願の出願当初の明細書又は図面に記載されておらず、また、原出願の出願当初の明細書又は図面の記載した事項から当業者が直接的かつ一義的に導き出せる事項ともいえない。
　すなわち、原出願の明細書には、「電源の少なくとも一方に位置し前記制御部及び前記負荷部の電源ラインを入り切りするリレー接点」（原出願の公開公報である特開平１１−２８７４５７号公報第２頁第１欄３〜５行、段落０００９、段落００１１参照。以下同様）のこと、「全ての負荷を入り切りするリレー接点１０ａ」（第３頁第４欄８〜９行）のこと、「制御部及び負荷部の電源ラインを入り切りするリレーにより、両切りリレーを兼用することができる」（第４頁第５欄２２〜２４行）こと、「電源の少なくとも一方に位置し制御部及び負荷部の電源ラインを入り切りするリレー」（第４頁第６欄１７〜１８行）のこと、また図１及び図３には、制御部及び負荷部の両方の電源ラインを入り切りすることができるように、接点１０ａが負荷部の電源ラインに設けていることは記載されているが、原出願の明細書及び図面には、特許明細書に記載された「電源の少なくとも一方に位置し前記制御部の電源ラインを入り切りするリレー接点」を、制御部の電源ラインのみ入り切りできるように、本件特許明細書に添付された図１に記載の如く、制御部の電源ラインに設けた点については、何ら記載も示唆もされておらず、しかも、この点が、原出願の出願当初の明細書又は図面の記載した事項から当業者が直接的かつ一義的に導き出せる事項ともいえない。
　したがって、本件出願は、特許法第４４条に規定する分割要件を満たしておらず、原出願を適法に分割したものとはいえないから、本件特許についての出願は、本件出願の現実の出願日である平成１１年７月１日にしたものと認める。 　
　
３．訂正の適否についての判断
（１）訂正事項
（ア）訂正事項１　
　特許請求の範囲の請求項１の、 
「電源と、前記電源より電力が供給される制御部と、前記電源より電力が供給され前記制御部により制御される負荷部と、前記電源の少なくとも一方に位置し前記制御部への電源ラインを入り切りするリレー接点と、前記電源と負荷部との間に位置し扉の開閉に連動するインターロックスイッチを備え、前記インターロックスイッチは双方向接点式であり、前記インターロックスイッチの常開側端子は前記負荷部に接続され、前記インターロックスイッチの共通端子及び常閉接点は前記リレー接点と並列に接続され、扉の開時に前記インターロックスイッチの常閉側端子と共通端子を介して、前記制御部に前記電源より電力が供給れることにより前記制御部が動作し、前記リレー接点をオンさせると共に、前記制御部により調理終了後に前記リレー接点をオフさせる構成とした調理器の制御回路。」を、
「電源と、前記電源より電力が供給される制御部と、前記電源より電力が供給され前記制御部により制御される負荷部と、前記電源の少なくとも一方に位置し前記制御部への電源ラインを入り切りするリレー接点と、前記電源と負荷部との間に位置し扉の開閉に連動するインターロックスイッチを備え、前記インターロックスイッチは双方向接点式であり、前記インターロックスイッチの常開側端子は前記負荷部に接続され、前記インターロックスイッチの共通端子及び常閉接点は前記リレー接点と並列に接続され、扉の開時に前記インターロックスイッチの常閉側端子と共通端子を介して、前記制御部に前記電源より電力が供給れることにより前記制御部が動作し、前記リレー接点をオンさせると共に、前記制御部により調理終了後に前記リレー接点をオフさせる構成とし
、前記電源に対し、前記インターロックスイッチと過電流保護装置とを直列に介してモニタースイッチが接続されると共にこのモニタースイッチは前記扉に連動し扉閉時にオフし扉開時にオンする
（イ）訂正事項２　
　特許明細書の段落【００１２】の「更にインターロックスイッチの共通端子及び常閉接点はリレー接点と並列に接続されたもの」を、「更にインターロックスイッチの共通端子及び常閉接点はリレー接点と並列に接続され、前記電源に対し、前記インターロックスイッチと過電流保護装置とを直列に介してモニタースイッチが接続されると共にこのモニタースイッチは前記扉に連動し扉閉時にオフし扉開時にオンするもの」と訂正する。
（ウ）訂正事項３
　特許明細書の段落【００２２】の「更にインターロックスイッチの共通端子及び常閉接点はリレー接点と並列に接続され、」を、「更にインターロックスイッチの共通端子及び常閉接点はリレー接点と並列に接続され、前記電源に対し、前記インターロックスイッチと過電流保護装置とを直列に介してモニタースイッチが接続されると共にこのモニタースイッチは前記扉に連動し扉閉時にオフし扉開時にオンし、」と訂正する。
（２）訂正の目的の適否、新規事項の有無及び拡張・変更の存否
　上記訂正事項１は、請求項１において、「インターロックスイッチ」が「電源」に対しいかように接続されたものであるかをより明確にするために限定したもので、出願当初の明細書の段落【０００４】の「電源４に対し、インターロックスイッチ１４、ヒューズ８を直列に介してモニタースイッチ９が接続されている。このモニタースイッチ９は扉の閉時にオフし開時にオンするものである。」の記載と段落【００１５】の「４は商用電源で、この電源４にインターロックスイッチ５と、負荷部である高周波発生装置６と、主回路接点のリレー接点７ａと、制御部１２への電源を入り切りするリレー接点１０ａと、過電流保護装置であるヒューズ８が接続されている。」および図１の記載に基づくものである。
　したがって、訂正事項１は、特許明細書に記載された事項の範囲内において「インターロックスイッチ」が「電源」に対しいかように接続されたものか限定したものて、特許請求の範囲の減縮を目的とするものであり、新規事項の追加に該当せず、実質上特許請求の範囲を拡張し、又は変更するものではない。
　上記訂正事項２、３は上記訂正事項１における特許請求の範囲の訂正にともない、特許請求の範囲の記載と、発明の詳細な説明の記載の整合をとるために訂正したものであって、明りょうでない記載の釈明を目的とするものである。また、新規事項の追加に該当せず、実質上特許請求の範囲を拡張し、又は変更するものではない。
（３）まとめ
　以上のとおりであるから、上記訂正は、特許法第１２０条の４第２項及び同条第３項において準用する特許法第１２６条第２項、第３項の規定に適合するので、当該訂正を認める。
     　　
４．特許異議の申立てのついての判断
（１）本件発明
　上記３．で示したように上記訂正が認められるから、本件特許の請求項１に係る発明（以下、「本件発明」という。）は、訂正明細書の特許請求の範囲の請求項１に記載された事項により特定されるとおりのものである。（上記３．（１）（ア）訂正事項１参照）
（２）引用刊行物に記載された発明
（ア）引用刊行物
　当審が通知した取消しの理由で引用した刊行物は、次のものである。
刊行物１：特開平１０−２６１４８３号公報（特許異議申立人　シャープ株式会社が提出した甲第１号証）
（イ）引用刊行物に記載された発明
　本件特許出願前日本国内において頒布された上記刊行物１には、
「【発明が解決しようとする課題】従って、上記回路構成の電子レンジでは、調理に使用されていない動作待機中であっても、常に電源トランス及び動作制御回路等に電流が供給されるため、鉄損、銅損等の損失が起こるとともにＣＰＵ等の回路系で１０Ｗ近い電力が消費されるとの欠点を有していた。」（段落０００３）こと、
「【００１０】［構　成］図１は、本発明に係る動作待機時の低消費電力回路装置を備えた電子レンジの実施の形態を示す電気的回路図であり、図において、１は商用交流電源への差込プラグ、２は可動端子２ａを差込プラグ１の一方端子に接続された主スイッチであり、電子レンジの扉（図示せず）の開閉に従って可動端子２ａを固定端子２ｂ又は２ｃに切り換え動作する。即ち、扉を閉じると可動端子２ａを固定端子２ｂにＯＮし、扉を開くと可動端子２ａを固定端子２ｃにＯＮする。
　【００１１】３は電源トランスであり、その一次側コイル３ａの一方端子を上記固定端子２ｃに接続するとともにリレースイッチ１５ａを介して上記差込プラグ１の一方端子に接続されている。又、一次側コイル３ａの他方端子は上記差込プラグ１の他方端子に接続されている。又、電源トランス３の２次側コイル３ｂは整流回路４に接続され、２次側コイル３ｂの出力電圧を整流回路４で整流して動作制御回路５に供給する構成となっている。動作制御回路５は、ＣＰＵ６、時計回路７及び加熱制御回路８等を含んでいる。ＣＰＵ６はタイマーを内蔵している。
　【００１２】そして、ＣＰＵ６は上記整流回路４より入力端子６ａを通じて電源電圧が印加されると、トランジスタ１４のベースヘハイレベルの信号Ｓ１を与える。これによってトランジスタ１４がＯＮし、リレーコイル１５に電流が流れてリレースイッチ１５ａがＯＮ状態を持続する。従って、扉が閉じて主スイッチ２が２ｂ側に切り換わっても、リレースイッチ１５ａがＯＮ状態を維持するので、制御回路５には電力が供給され続ける。ＣＰＵ６はまたタイマーを始動させるとともに時計回路７に計時信号Ｓ２を供給し、該回路７を動作させる。
　【００１３】そして、後述する待機時節電モードが設定されているときは、タイマーによる一定時間経過後に信号Ｓ１を停止する。その結果、リレースイッチ１５ａがＯＦＦとなり、制御回路５へ電力は供給されなくなる。」（段落００１１〜００１３）こと、
「負荷としての加熱手段（マグネトロン）１３」（段落００１４）のこと、
「【００２１】【発明の効果】本発明は上述のように構成されるものであり、請求項１に記載の発明によれば、動作の待機状態において無駄な消費電流が流れないようにできるので、消費電力の節電を図ることができる。
　【００２２】又、請求項２に記載された発明によれば、ドアの開閉によって始動スイッチを動作させるので、待機状態がドアの操作に伴って自動的に実現される。その後は上述の効果が奏される。」（段落００２１〜００２２）こと、
が図面と共に記載されている。
　上記指摘した事項からみて、刊行物１には、
「電源と、前記電源より電力が供給される動作制御回路５と、前記電源より電力が供給され前記動作制御回路５により制御される負荷と、前記電源の一方に位置し前記動作制御回路５への電源ラインを入り切りするリレースイッチ１５ａと、前記電源と負荷との間に位置し扉の開閉に従って動作する主スイッチ２を備え、前記主スイッチ２は双方向接点式であり、前記主スイッチ２の固定端子２ｂは前記負荷に接続され、前記主スイッチ２の可動端子２ａ及び固定端子２ｃは前記リレースイッチ１５ａと並列に接続され、扉の開時に前記主スイッチ２の固定端子２ｃと可動端子２ａを介して、前記動作制御回路５に前記電源より電力が供給されることにより前記動作制御回路５が動作し、前記リレースイッチ１５ａをオンさせると共に、前記動作制御回路５により調理終了後に前記リレースイッチ１５ａをオフさせる構成とした電子レンジの制御回路」の発明が記載されている。
（３）対比・判断
　そこで、本件発明と刊行物１に記載された発明を対比すると、
　刊行物１に記載された発明の「電源」、「動作制御回路５」、「負荷」、「リレースイッチ１５ａ」、「扉」、「扉の開閉に従って動作する主スイッチ２」、「固定端子２ｂ」、「可動端子２ａ」、「固定端子２ｃ」及び「電子レンジ」は、それぞれ、本件発明の「電源」、「制御部」、「負荷部」、「リレー接点」、「扉」、「扉の開閉に連動するスイッチ」、「常開側端子」、「共通端子」、「常閉接点、常閉側端子」及び「調理器」に相当する。
　よって、両者は、「電源と、前記電源より電力が供給される制御部と、前記電源より電力が供給され前記制御部により制御される負荷部と、前記電源の少なくとも一方に位置し前記制御部への電源ラインを入り切りするリレー接点と、前記電源と負荷部との間に位置し扉の開閉に連動するスイッチを備え、前記スイッチは双方向接点式であり、前記スイッチの常開側端子は前記負荷部に接続され、前記スイッチの共通端子及び常閉接点は前記リレー接点と並列に接続され、扉の開時に前記スイッチの常閉側端子と共通端子を介して、前記制御部に前記電源より電力が供給されることにより前記制御部が動作し、前記リレー接点をオンさせると共に、前記制御部により調理終了後に前記リレー接点をオフさせる構成とした調理器の制御回路。」の点で一致し、次のイ、ロの点で相違している。
イ．扉の開閉に連動するスイッチが、本件発明はインターロックスイッチであるのに対して、刊行物１にはインターロックとは明記されていない点。
ロ．本件発明が、電源に対し、インターロックスイッチと過電流保護装置とを直列に介してモニタースイッチが接続されると共にこのモニタースイッチは前記扉に連動し扉閉時にオフし扉開時にオンするのに対して、刊行物１には、過電流保護装置、モニタースイッチ等を含めこの回路構成が記載されていない点。 　
　以下この相違点イ、ロについて検討する。
・相違点イについて
　当審が通知した取消しの理由で示したように、電子レンジ等で、扉の開閉と連動するスイッチをインターロックスイッチとすることは出願前周知（例えば、特開平７−１６１４６８号公報、特開昭６３−２７９５９４号公報、特許２５７７４２７号公報、特開昭６３−１３１４９０号公報、特開平５−２０３１６２号公報を参照）であり、刊行物１に記載された扉の開閉と連動するスイッチを上記相違点イであげた本件発明の構成のようにインターロックスイッチとすることは、当業者であれば容易になし得る設計的事項である。
・相違点ロについて
　電子レンジ等において、電源に対し、インターロックスイッチと過電流保護装置とを直列に介してモニタースイッチが接続されると共にこのモニタースイッチは前記扉に連動し扉閉時にオフし扉開時にオンする点は、出願前周知（当審が通知した取消しの理由で示した周知例、特開平７−１６１４６８号公報（図３、段落００２〜０００３に注目）、特開昭６３−２７９５９４号公報、特許２５７７４２７号公報、特開昭６３−１３１４９０号公報、特開平５−２０３１６２号公報（図６に注目）を参照）であり、この周知技術を刊行物１に記載された発明に付加することは、安全を図るために当業者であれば必要に応じて適宜容易になし得たことである。
　また、本件発明の効果も、刊行物１に記載された事項及び上記周知技術から予測できる程度のものであって格別のものではない。
　したがって、本件発明は、上記刊行物１に記載された発明及び上記周知技術に基づいて、当業者が容易に発明をすることができたものである。
（４）むすび
　以上のとおりであるから、本件発明の特許は、その出願日前に頒布された刊行物１に記載された発明及び上記周知技術に基づいて当業者が容易に発明をすることができたものであり、特許法第２９条第２項の規定に違反してなされたものである。　
　したがって、訂正明細書の請求項１に係る発明の特許は、特許法第１１３条第２号に該当し、取り消されるべきものである。
　よって、結論のとおり決定する。
【異議決定日】
平成１４年７月１８日（２００２．７．１８）
【訂正の要旨】
訂正の要旨
（ア）訂正事項１
　特許請求の範囲の請求項１の、
「電源と、前記電源より電力が供給される制御部と、前記電源より電力が供給され前記制御部により制御される負荷部と、前記電源の少なくとも一方に位置し前記制御部への電源ラインを入り切りするリレー接点と、前記電源と負荷部との間に位置し扉の開閉に連動するインターロックスイッチを備え、前記インターロックスイッチは双方向接点式であり、前記インターロックスイッチの常開側端子は前記負荷部に接続され、前記インターロックスイッチの共通端子及び常閉接点は前記リレー接点と並列に接続され、扉の開時に前記インターロックスイッチの常閉側端子と共通端子を介して、前記制御部に前記電源より電力が供給れることにより前記制御部が動作し、前記リレー接点をオンさせると共に、前記制御部により調理終了後に前記リレー接点をオフさせる構成とした調理器の制御回路。」を、
「電源と、前記電源より電力が供給される制御部と、前記電源より電力が供給され前記制御部により制御される負荷部と、前記電源の少なくとも一方に位置し前記制御部への電源ラインを入り切りするリレー接点と、前記電源と負荷部との間に位置し扉の開閉に連動するインターロックスイッチを備え、前記インターロックスイッチは双方向接点式であり、前記インターロックスイッチの常開側端子は前記負荷部に接続され、前記インターロックスイッチの共通端子及び常閉接点は前記リレー接点と並列に接続され、扉の開時に前記インターロックスイッチの常閉側端子と共通端子を介して、前記制御部に前記電源より電力が供給れることにより前記制御部が動作し、前記リレー接点をオンさせると共に、前記制御部により調理終了後に前記リレー接点をオフさせる構成とし
、前記電源に対し、前記インターロックスイッチと過電流保護装置とを直列に介してモニタースイッチが接続されると共にこのモニタースイッチは前記扉に連動し扉閉時にオフし扉開時にオンする
（イ）訂正事項２
　特許明細書の段落【００１２】の、「更にインターロックスイッチの共通端子及び常閉接点はリレー接点と並列に接続されたもの」を、「更にインターロックスイッチの共通端子及び常閉接点はリレー接点と並列に接続され、前記電源に対し、前記インターロックスイッチと過電流保護装置とを直列に介してモニタースイッチが接続されると共にこのモニタースイッチは前記扉に連動し扉閉時にオフし扉開時にオンするもの」と訂正する。
（ウ）訂正事項３
　特許明細書の段落【００２２】の、「更にインターロックスイッチの共通端子及び常閉接点はリレー接点と並列に接続され、」を、「更にインターロックスイッチの共通端子及び常閉接点はリレー接点と並列に接続され、前記電源に対し、前記インターロックスイッチと過電流保護装置とを直列に介してモニタースイッチが接続されると共にこのモニタースイッチは前記扉に連動し扉閉時にオフし扉開時にオンし、」と訂正する。
（５４）【発明の名称】
調理器の制御回路
（５７）【特許請求の範囲】
　【請求項１】電源と、前記電源より電力が供給される制御部と、前記電源より電力が供給され前記制御部により制御される負荷部と、前記電源の少なくとも一方に位置し前記制御部への電源ラインを入り切りするリレー接点と、前記電源と負荷部との間に位置し扉の開閉に連動するインターロックスイッチを備え、前記インターロックスイッチは双方向接点式であり、前記インターロックスイッチの常開側端子は前記負荷部に接続され、前記インターロックスイッチの共通端子及び常閉接点は前記リレー接点と並列に接続され、扉の開時に前記インターロックスイッチの常閉側端子と共通端子を介して、前記制御部に前記電源より電力が供給れることにより前記制御部が動作し、前記リレー接点をオンさせると共に、前記制御部により調理終了後に前記リレー接点をオフさせる構成とし
、前記電源に対し、前記インターロックスイッチと過電流保護装置とを直列に介してモニタースイッチが接続されると共にこのモニタースイッチは前記扉に連動し扉閉時にオフし扉開時にオンする
【発明の詳細な説明】
　【０００１】
　【発明の属する技術分野】
　本発明は電子レンジ、電気オーブン、トースターなどの、調理器の制御回路に関するものである。
　【０００２】
　【従来の技術】
　調理器たとえば電子レンジは、図２に示すように、本体１の前面に開閉自在な扉２を備え、扉２は本体１の加熱室の開口に対応している。加熱室内には、高周波発生装置６から高周波電波が供給されるようになっている。操作パネル３には、調理条件を設定するキーと調理状態を表わす表示部等が設けられている。
　【０００３】
　図３は従来の電子レンジの制御回路図である。４は商用電源で、この電源４にインターロックスイッチ１４、負荷部である高周波発生装置６、負荷部を電源４より両切りするためのリレー接点１８ａと、主回路接点であるリレー接点７ａと、過電流保護装置であるヒューズ８が接続されている。リレー１８は、負荷部の高周波発生装置６を電源４より両切りにするために設けられ、万が一負荷部の高周波発生装置６が地絡しても、感電及び火災の危険に対し、より安全性を確保するために設けられている。
　【０００４】
　さらに、電源４に対し、インターロックスイッチ１４、ヒューズ８を直列に介してモニタースイッチ９が接続されている。このモニタースイッチ９は、扉２の閉時にオフし開時にオンするものである。
　【０００５】
　また、電源４に対して扉２の開時にオンするオープンモニタースイッチ１５と、このオープンモニタースイッチ１５と並列に接続されたリレー接点１０ａと直列に介して降圧トランス１１が接続されている。制御部１２は、降圧トランス１１で降圧した電源で構成する電源回路とマイクロコンピュータ及びその周辺回路からなり、電子レンジ全体の制御を行うもので、外部には、操作パネル３、リレー１０、リレー７、リレー１８、扉２の開時にオフし閉時にオンするオープンモニタースイッチ１３が接続されている。制御部１２は、このオープンモニタースイッチ１３のオン状態で扉２が閉じられていることを検出する。
　【０００６】
　こうして、扉２が閉じられていることを制御部１２が検出しているとき、操作パネル３で調理条件を設定し、開始操作を行うと制御部１２は、リレー７及びリレー１８に動作信号を与える。リレー７及びリレー１８に動作信号が与えられると、その接点７ａ及び１８ａがオンし高周波発生装置６へ通電され加熱室に高周波電波が供給され、食品が加熱される。
　【０００７】
　上記構成の電子レンジにおいて、扉２が閉じられた状態における待機状態では、リレー接点１０ａ及びオープンモニタースイッチ１５により降圧トランス１１には電源の供給が絶たれているため、制御部１２で電力が消費されない状態が継続される。また、使用者が加熱物を加熱室に入れるため扉２が開かれると、オープンモニタースイッチ１５がオンし降圧トランス１１に電源が通電され制御部１２が動作し、制御部１２はリレー１０に動作信号を与える。リレー１０に動作信号が与えられると、そのリレー接点１０ａがオンし降圧トランス１１への電源の供給経路を形成する。従って、この後、使用者が扉２を閉じても、制御部１２は調理設定状態又は動作状態と判断し一定時間の間はリレー１０を動作させ続けるようにしているため、使用者は、調理条件の設定及び開始操作ができる。
　【０００８】
　通常は、調理が終了し所定時間後に、制御部１２はリレー１０の動作信号を停止する。リレー１０の動作信号が停止されると、そのリレー接点１０ａがオフし再び待機状態となる。
　【０００９】
　【発明が解決しようとする課題】
　しかし、このような電子レンジにおいては、待機時の制御部１２の消費電力をなくす制御を、制御部１２の起動用のオープンモニタースイッチ１５と降圧トランス１１の通電用のリレー１０とを付加することで構成しているが、このオープンモニタースイッチ１５を含めこれらのドアスイッチは、その取り付け構造及びハーネスの接続の簡略化及びコスト低減などの面からなるべく少ないことが望ましい。
　【００１０】
　【課題を解決するための手段】
　本発明は上記課題を解決するために、電源と、電源より電力が供給される制御部と、電源より電力が供給され制御部により制御される負荷部と、電源の少なくとも一方に位置し制御部への電源ラインを入り切りするリレー接点と、電源と負荷部との間に位置し扉の開閉に連動するインターロックスイッチを備え、このインターロックスイッチは双方向接点式であり、インターロックスイッチの常開側端子は負荷部に接続され、更にインターロックスイッチの共通端子及び常閉接点はリレー接点と並列に接続されたものである。
　【００１１】
　上記発明によれば、待機時の制御部の消費電力をなくす制御を可能とすると共に、扉の開時に双方向接点式のインターロックスイッチの常閉側端子及び共通端子を介して制御部に電源が供給されるため、新たに制御部の起動用のオープンモニタースイッチを設けることなく制御部の起動回路を構成することができる。
　【００１２】
　【発明の実施の形態】
　本発明の請求項１にかかる調理器の制御回路は、電源と、電源より電力が供給される制御部と、電源より電力が供給され制御部により制御される負荷部と、電源の少なくとも一方に位置し制御部への電源ラインを入り切りするリレー接点と、電源と負荷部との間に位置し扉の開閉に連動するインターロックスイッチを備え、インターロックスイッチは双方向接点式であり、このインターロックスイッチの常開側端子は負荷部に接続され、更にインターロックスイッチの共通端子及び常閉接点はリレー接点と並列に接続され
、前記電源に対し、前記インターロックスイッチと過電流保護装置とを直列に介してモニタースイッチが接続されると共にこのモニタースイッチは前記扉に連動し扉閉時にオフし扉開時にオンする
　【００１３】
　そして、制御部の起動用に新たにオープンモニタースイッチを追加することがないため、ドアスイッチの数を削減することができ、これによりドアスイッチの取り付け構造の簡略化及びコスト低減ができる。また、待機時の制御部の消費電力をなくす制御を可能とすることができる。
　【００１４】
　【実施例】
　（実施例１）
　以下、本発明の実施例１について図面を用いて説明する。ただし、図面において図３と同一部分には同一符号を付し、その詳細な説明は省略する。
　【００１５】
　図１は、本発明の実施例１の電子レンジの制御回路図を示している。４は商用電源で、この電源４にインターロックスイッチ５と、負荷部である高周波発生装置６と、主回路接点のリレー接点７ａと、制御部１２への電源を入り切りするリレー接点１０ａと、過電流保護装置であるヒューズ８が接続されている。
　【００１６】
　負荷部については、高周波発生装置６以外にはヒータ、モータ、ランプ等と言ったものでもよく、又、これら複数の負荷である場合もある。さらに、制御部１２は、リレー接点１０ａ側の商用電源４と反対側の端子に接続された降圧トランス１１を介して接続されており、この制御部１２は、降圧トランス１１で降圧した電源で構成する電源回路とマイクロコンピュータ及びその周辺回路からなり、電子レンジ全体の制御を行うもので、外部には、操作パネル３、リレー１０、リレー７、リレー１８、扉２の開時にオフし閉時にオンするオープンモニタースイッチ１３が接続されている。制御部１２は、このオープンモニタースイッチ１３のオン状態で扉２が閉じられていることを検出する。
　【００１７】
　さらに、インターロックスイッチ５は、双方接点式のもので、このインターロックスイッチ５の常開側端子が負荷部である高周波発生装置６に接続されている。そしてインターロックスイッチ５の共通端子及び常閉接点はリレー接点１０ａと並列になるように接続してある。また、このインターロックスイッチ５は、加熱室の開口に対応している扉２の開閉と連動しており、扉２が開いている時はオフ（常閉接点端子が閉路状態となる）する。
　【００１８】
　次に動作、作用について説明する。加熱室を開閉する扉２を開くと、インターロックスイッチ５の常閉側端子及び共通端子を介して降圧トランス１１に商用電源４が供給され、制御部１２が起動する。そして、制御部１２がリレー１０に動作信号を与える。リレー１０に動作信号が与えられると、そのリレー接点１０ａがオンし、降圧トランス１１への電源の供給経路を形成する。従って、この後、使用者が扉２を閉じても、制御部１２は調理設定状態又は動作状態と判断し一定時間の間はリレー１０を動作させ続け、使用者は、その間に調理条件の設定及び開始操作ができる。
　【００１９】
　そして、扉２が閉じられていることを制御部１２が検出しているとき、操作パネル３で調理条件を設定し、開始操作を行うと、制御部１２は、リレー７及びリレー１８に動作信号を与える。リレー７及びリレー１８に動作信号が与えれれると、リレー接点７ａ及び１８ａがオンし高周波発生装置６へ通電され加熱室へ高周波電波が供給され、食品が加熱される。調理が終了すると制御部１２はリレー７及びリレー１８の動作信号を停止する。更に、調理が終了した後所定時間後、制御部１２がリレー１０の動作信号を停止すると、そのリレー接点１０ａがオフし待機状態となる。
　【００２０】
　このように、双方向接点式のインターロックスイッチ５を採用することにより、ドアスイッチの数を１つ削減することができる。これは、ドアスイッチの取り付け構造の簡略化につながる。また、待機時の制御部の消費電力をなくす制御を可能とすることができる。
　【００２１】
　その他、この発明は、上記実施例に限定されるものでなく、種々の電源で動作する機器に応用しても良いのはいうまでもない。
　【００２２】
　【発明の効果】
　以上説明したように本発明によれば、電源と、電源より電力が供給される制御部と、電源より電力が供給され制御部により制御される負荷部と、電源の少なくとも一方に位置し制御部への電源ラインを入り切りするリレー接点と、電源と負荷部との間に位置し扉の開閉に連動するインターロックスイッチを備え、インターロックスイッチは双方向接点式であり、このインターロックスイッチの常開側端子は負荷部に接続され、更にインターロックスイッチの共通端子及び常閉接点はリレー接点と並列に接続され
、前記電源に対し前記インターロックスイッチと過電流保護装置とを直列に介してモニタースイッチが接続されると共にこのモニタースイッチは前記扉に連動し扉閉時にオフし扉開時にオンし
【図面の簡単な説明】
　【図１】
　本発明の実施例１における電子レンジの制御回路図
　【図２】
　同電子レンジの外観斜視図
　【図３】
　従来の電子レンジの制御回路図
　【符号の説明】
　２　扉
　４　電源
　５　インターロックスイッチ
　６　高周波発生装置（負荷部）
　１０ａ　リレー接点